(57)【要約】【課題】顧客による釣銭、釣札の取り忘れを最小限に抑えることのできる精算装置を提供する。【解決手段】光源１０（８ｄ、８ｈ）と、釣銭返却部８ｒ又は／及び釣札返却部８ｑの近傍に設けられ、釣銭返却部又は／及び釣札返却部に釣銭又は／及び釣札が返却された際に、光源から受光した光を操作者（顧客）に目視可能な光として発する導光手段とを備える精算装置８。導光手段として、光源から操作者側に位置する拡散導光体１０、又は光源から操作者側に導光板の一端部が位置する導光板１１を用いることができる。釣銭返却部等から返却された釣銭等が操作者によって抜き取られたことを検出する抜き取り検知センサー８ｃ、８ｇと、釣銭返却部等から釣銭等が返却された後所定時間経過するまでに、抜き取り検知センサーが釣銭等が抜き取られたことを検出しない場合に警報を発する警報手段８ｅ、８ｉ、８ｊを備えることが好ましい。【選択図】図１
2012113378.tif 000002
【特許請求の範囲】
【請求項１】
光源と、
釣銭返却部又は／及び釣札返却部の近傍に設けられ、該釣銭返却部又は／及び釣札返却部に釣銭又は／及び釣札が返却された際に、前記光源から受光した光を操作者に目視可能な光として発する導光手段とを備えることを特徴とする精算装置。
【請求項２】
前記導光手段は、拡散導光体であって、前記光源から前記操作者側に位置することを特徴とする請求項１に記載の精算装置。
【請求項３】
前記導光手段は、導光板であって、前記光源から前記操作者側に該導光板の一端部が位置することを特徴とする請求項１に記載の精算装置。
【請求項４】
前記釣銭返却部又は／及び釣札返却部から返却された釣銭又は／及び釣札が前記操作者によって抜き取られたことを検出する抜き取り検知センサーと、
前記釣銭返却部又は／及び釣札返却部から釣銭又は／及び釣札が返却された後所定時間経過するまでに、前記抜き取り検知センサーが前記釣銭又は／及び釣札が抜き取られたことを検出しない場合に警報を発する警報手段とを備えることを特徴とする精算装置。
【発明の詳細な説明】
【技術分野】
【０００１】
本発明は、ガソリンスタンド等の給油所等に設置され、釣銭、釣札を返却するためなどに用いられる精算装置に関する。
【背景技術】
【０００２】
自動車へ燃料油を供給する給油所には、燃料油を供給する給油装置と、給油作業に付帯する給油設定を行う屋外データ入出力装置（ＯＰＴ）と、事務所内に設けられて給油装置から出力される給油データの管理を行う販売管理装置（ＰＯＳ）と、前記給油データに基づいて料金精算を行う精算装置とが設けられる。
【０００３】
上記精算装置は、特許文献１に記載のように、入金時に釣りが発生した場合に、屋外データ入出力装置から出力される伝票に記されたバーコード等を読み取って釣銭、釣札を返金する。そして、釣銭等の返金時に返却口に設置されたＬＥＤ等のライトが点灯又は点滅し、顧客に取り忘れ防止を喚起する。また、釣銭等が返却口に返却されたことをブザーで知らせる装置も存在する。
【先行技術文献】
【特許文献】
【０００４】
【特許文献１】特開平７−２３７６９７号公報
【発明の開示】
【発明が解決しようとする課題】
【０００５】
しかし、上記釣銭等の返却口に設置されたライトは、前方にのみ光を照射するため、顧客が精算装置に近づいていると光が見え難く、釣銭等の取り忘れが発生する虞がある。また、釣銭と釣札の両方を返金する場合には、釣札と釣銭の出金タイミングが異なるため、先に出た釣銭を取ったことで、釣りを全て受け取ったものと誤認し、釣札を取り忘れる虞もある。
【０００６】
また、釣銭等が返却されたことをブザーで知らせる装置でも、釣銭と釣札とが返却される場合には、釣銭を取った後にブザーが鳴り止み、釣札を取り忘れたり、バーコードを読ませて、そのまま釣りを取らないで帰ってしまう顧客も存在する。
【０００７】
そこで、本発明は、上記従来の精算装置における問題点に鑑みてなされたものであって、顧客による釣銭、釣札の取り忘れを最小限に抑えることのできる精算装置を提供することを目的とする。
【課題を解決するための手段】
【０００８】
上記目的を達成するため、本発明は、精算装置であって、光源と、釣銭返却部又は／及び釣札返却部の近傍に設けられ、該釣銭返却部又は／及び釣札返却部に釣銭又は／及び釣札が返却された際に、前記光源から受光した光を操作者に目視可能な光として発する導光手段とを備えることを特徴とする。
【０００９】
そして、本発明によれば、釣銭返却部等に釣銭等が返却された際に、操作者が光を目視することができるため、釣銭等の取り忘れを最小限に抑えることができる。
【００１０】
上記精算装置において、前記導光手段は、拡散導光体であって、前記光源から前記操作者側に位置することができ、拡散導光体によって光源からの光を拡散させ、光源からの光の一部を操作者側に導くことができる。
【００１１】
上記精算装置において、前記導光手段は、導光板であって、前記光源から前記操作者側に該導光板の一端部が位置するように構成することができ、導光板によって光源からの光を操作者側に導出することができる。
【００１２】
上記精算装置において、前記釣銭返却部又は／及び釣札返却部から返却された釣銭又は／及び釣札が前記操作者によって抜き取られたことを検出する抜き取り検知センサーと、前記釣銭返却部又は／及び釣札返却部から釣銭又は／及び釣札が返却された後所定時間経過するまでに、前記抜き取り検知センサーが前記釣銭又は／及び釣札が抜き取られたことを検出しない場合に警報を発する警報手段とを備えることができる。これによって、釣銭返却部等から釣銭等の取り忘れがある場合でも、警報手段によって注意を喚起し、釣銭等の取り忘れをさらに少なくすることができる。
【発明の効果】
【００１３】
以上のように、本発明によれば、顧客による釣銭、釣札の取り忘れを最小限に抑えることのできる精算装置を提供することができる。
【図面の簡単な説明】
【００１４】
【図１】一般的な給油所の装置構成を示す全体概略図である。
【図２】本発明にかかる精算装置の一実施の形態を示す図であって、（ａ）は正面図、（ｂ）は側面図である。
【図３】図２の精算装置のブロック図である。
【図４】図２の精算装置の釣銭返却装置を示す斜視図である。
【図５】図２の精算装置の釣札返却装置を示す斜視図である。
【図６】図４及び図５の釣銭・釣札返却装置の前面を示す断面図である。
【図７】本発明にかかる精算装置を含む給油所全体の装置の動作を説明するためのフローチャートである。
【図８】本発明にかかる精算装置の釣銭・釣札返却装置の前面の他の構成例を示す断面図である。
【発明を実施するための形態】
【００１５】
次に、本発明を実施するための形態について図面を参照しながら詳細に説明する。
【００１６】
給油所１は、屋内に、精算処理や売上げの管理等を行うＰＯＳ（販売管理装置）２と、ＰＯＳ２と屋外の装置とを接続するＨＵＢ（ハブ）３が設けられ、屋外のアイランド４（４Ａ〜４Ｃ）の各々に、供給量等の設定や精算等を行うＯＰＴ（屋外データ入出力装置）５（５Ａ〜５Ｃ）と、自動車へ燃料油を給油する給油装置６（６Ａ〜６Ｃ）と、釣銭及び釣札を返却する精算装置８とを備える。本発明は、精算装置８に関するものである。
【００１７】
精算装置８は、図２に示すように、本体８ｔの前面に、屋内や給油所の係員との連絡等を行うためのインターホン８ｗと、釣銭及び釣札を返却するためのバーコードを読み取るバーコードリーダ８ｍと、釣銭返却装置８ｙと、釣札返却装置８ｚと、警告灯８ｊ等を備える。
【００１８】
精算装置８は、図３に示すように、ＰＯＳ２と通信可能に備えられ、精算装置８全体を制御する制御装置８ａと、釣札返却装置８ｚを構成する釣札払い出し機構８ｂ、釣札抜き取り検知センサー８ｃ及び釣札取り忘れ防止ランプ８ｄと、釣銭返却装置８ｙを構成する釣銭払い出し機構８ｆ、釣銭抜き取り検知センサー８ｇ及び釣銭取り忘れ防止ランプ８ｈと、釣銭等取り忘れ防止アラーム８ｅと、釣銭等取り忘れ防止大音量アラーム８ｉと、警告灯８ｊと、バーコード読取りランプ８ｋと、バーコードリーダ８ｍと、監視カメラ８ｎとで構成され、制御装置８ａとその他の構成要素とが電気的に接続される。釣銭等取り忘れ防止アラーム８ｅ、釣銭等取り忘れ防止大音量アラーム８ｉ、警告灯８ｊ及び監視カメラ８ｎは、精算装置８又は精算装置８以外の給油所１内の装置に設置することができる。
【００１９】
精算装置８の釣銭返却装置８ｙは、図４に示すように、釣銭払い出し機構８ｆを内蔵する本体８ｙ’の前面に、釣銭返却部８ｒと、釣銭抜き取り検知センサー８ｇと、釣銭取り忘れ防止ランプ８ｈとを備える。
【００２０】
精算装置８の釣札返却装置８ｚは、図５に示すように、釣札払い出し機構８ｂを内蔵する本体８ｚ’の前面に、釣札取り忘れ防止ランプ８ｄと、釣札返却部８ｑとを備える。
【００２１】
釣銭返却装置８ｙ及び釣札返却装置８ｚの各々の前面には、図６に示すように、釣札取り忘れ防止ランプ８ｄ／釣銭取り忘れ防止ランプ８ｈとして機能するＬＥＤ８ｓが設置され、その前方の透明なアクリル板９には、サンドブラスト処理を施した光拡散部（拡散導光体）１０が形成され、ＬＥＤ８ｓから発せられた光が、光拡散部１０を通過することで拡散され、その一部が顧客側に導かれる。
【００２２】
次に、上記構成を有する給油所１における自動車への給油動作について、図７を中心に参照しながら説明する。
【００２３】
顧客が給油所１のアイランド４（図１参照）に自動車を停止させ、ＯＰＴ５に給油に関する各種設定を行うと、ＯＰＴ５は、ステップＳ５１で給油設定が完了したか否かを判断し、給油設定が完了した場合には（ステップＳ５１；ＹＥＳ）、ステップＳ５２において、ＰＯＳ２に給油要求を出力する。ステップＳ５１で給油設定が完了していない場合には（ステップＳ５１；ＮＯ）、給油設定が完了するまで待つ。
【００２４】
次に、ＰＯＳ２は、ステップＳ２１でＯＰＴ５から給油要求が入力されたか否かを判断し、給油要求が入力された場合には（ステップＳ２１；ＹＥＳ）、ステップＳ２２において、給油装置６に給油許可を出力する。ステップＳ２１で給油要求が入力されていない場合には（ステップＳ２１；ＮＯ）、給油要求が入力されるまで待つ。
【００２５】
給油装置６において、ステップＳ６１でＰＯＳ２から給油許可がなされたか否かを判断し、給油許可がなされた場合には（ステップＳ６１；ＹＥＳ）、ステップＳ６２において、顧客が給油ノズルを引き出してノズルスイッチ（ＳＷ）がＯＮしたか否かを判断する。ステップＳ１で給油許可がなされていない場合には（ステップＳ１；ＮＯ）、給油許可がなされるまで待つ。
【００２６】
ステップＳ６２において、顧客が給油ノズルを取り外してノズルＳＷがＯＮした場合には（ステップＳ６２；ＹＥＳ）、ステップＳ６３において、前回の給油量を帰零し、給油ポンプをＯＮする。ステップＳ６２において、ノズルＳＷがＯＮしない場合には（ステップＳ６２；ＮＯ）、ノズルＳＷがＯＮするまで待つ。
【００２７】
ステップＳ６４において、流量パルスが所定の値になったか否か、すなわち所定の給油量に達したか否かを判断し、所定の値になった場合には（ステップＳ６４；ＹＥＳ）、計数表示し（ステップＳ６５）、ステップＳ６６でノズルＳＷがＯＦＦしたか否か、すなわち顧客が給油ノズルをノズル掛けに戻したか否かを判断する。一方、流量パルスが所定の値になっていない場合には（ステップＳ６４；ＮＯ）、ステップＳ６６でノズルＳＷがＯＦＦしたか否かを判断する。
【００２８】
ステップＳ６６において、ノズルＳＷがＯＦＦした場合には（ステップＳ６６；ＹＥＳ）、ステップＳ６７において、ポンプをＯＦＦし、給油データをＰＯＳ２に出力する。ステップＳ６６において、ノズルＳＷがＯＦＦしていない場合には（ステップＳ６６；ＮＯ）、ステップＳ６４に戻る。
【００２９】
次に、ＰＯＳ２は、ステップＳ２３で給油装置６から給油データが入力されたか否かを判断し、給油データが入力された場合には（ステップＳ２３；ＹＥＳ）、給油データを記憶し（ステップＳ２４）、精算データを作成し（ステップＳ２５）、ＯＰＴ５に精算レシートデータを出力する（ステップＳ２６）。ステップＳ２３において、給油データが入力されていない場合には、給油データが入力されるまで待つ。
【００３０】
ＯＰＴ５は、ステップＳ５３で、ＰＯＳ２から精算レシートデータが入力されたか否かを判断し、精算レシートデータが入力された場合には（ステップＳ５３；ＹＥＳ）、精算レシートを印刷する（ステップＳ５４）。顧客は、印刷された精算レシートを受け取って精算装置８へ向かう。
【００３１】
次に、精算装置８において、顧客は上記精算レシートに印刷されているバーコードをバーコードリーダ８ｍ（図２参照）に読み取らせる。精算装置８は、ステップＳ８１で精算レシートを読み込んだか否かを判断し、精算レシートを読み込んだ場合には（ステップＳ８１；ＹＥＳ）、ＰＯＳ２への照合出力を行う（ステップＳ８２）。ステップＳ８１で精算レシートを読み込んでいない場合には（ステップＳ８１；ＮＯ）、精算レシートを読み込むまで待つ。
【００３２】
ＰＯＳ２は、ステップＳ２７で精算装置８からの照合入力がなされたか否かを判断し、照合入力がなされた場合には（ステップＳ２７；ＹＥＳ）、ステップＳ２８においてデータの照合を行い、データが正しければ（ステップＳ２９；ＹＥＳ）、精算装置８に対して釣銭等の払出し出力を行う（ステップＳ３０）。ステップＳ２７において、照合入力がなされていない場合には、照合入力がなされるまで待つ。また、ステップＳ２９でデータが正しくなければ（ステップＳ２９；ＮＯ）、精算装置８にデータが間違っていることを報知する（ステップＳ３１）。
【００３３】
精算装置８は、ステップＳ８３でＰＯＳ２から釣銭等の払出し入力がなされたか否かを判断し、払出し入力がなされた場合には（ステップＳ８３；ＹＥＳ）、釣銭等の払出し出力を行い（ステップＳ８４）、ステップＳ８５で釣札取り忘れ防止ランプ８ｄ／釣銭取り忘れ防止ランプ８ｈをＯＮするとともに、釣銭等取り忘れ防止アラーム８ｅをＯＮする。釣札取り忘れ防止ランプ８ｄ等がＯＮすると、上述のように、釣銭返却装置８ｙ及び釣札返却装置８ｚの各々の前面のＬＥＤ８ｓ（図６参照）が点灯し、ＬＥＤ８ｓからの光がアクリル板９の光拡散部１０で拡散され、その一部が顧客側に導かれる。顧客はこの光を目視し、釣銭等の取り忘れを喚起される。
【００３４】
次に、ステップＳ８６で、顧客が釣銭等を抜き取るために釣銭返却部８ｒ等に手を挿入して釣札抜き取り検知センサー８ｃ等がＯＮしたか否かを判断し、釣札抜き取り検知センサー８ｃ／釣銭抜き取り検知センサー８ｇがＯＮした場合には（ステップＳ８６；ＹＥＳ）、ステップＳ９１で、顧客が釣銭返却部８ｒ等から手を引き戻して釣札抜き取り検知センサー８ｃ／釣銭抜き取り検知センサー８ｇがＯＦＦしたか否かを判断し、ＯＦＦした場合には（ステップＳ９１；ＹＥＳ）、ステップＳ９２で、釣札取り忘れ防止ランプ８ｄ／釣銭取り忘れ防止ランプ８ｈをＯＦＦするとともに、釣銭等取り忘れ防止アラーム８ｅをＯＦＦし、処理を終了する。ステップＳ９１で釣札抜き取り検知センサー８ｃ／釣銭抜き取り検知センサー８ｇがＯＦＦしていない場合には、ＯＦＦするまで待つ。
【００３５】
ステップＳ８６で釣札抜き取り検知センサー８ｃ／釣銭抜き取り検知センサー８ｇがＯＮしていない場合には（ステップＳ８６；ＮＯ）、ステップＳ８７で時間ＴがＴ１（例えば３０秒）となったか否かを判断し、ＴがＴ１となった（３０秒が経過した）場合には（ステップＳ８７；ＹＥＳ）、警告灯８ｊを駆動するとともに、釣銭等取り忘れ防止大音量アラーム８ｉを駆動し（ステップＳ８８）、ステップＳ８９で釣札抜き取り検知センサー８ｃ／釣銭抜き取り検知センサー８ｇがＯＦＦしたか否かを判断し、ＯＦＦした場合には（ステップＳ８９；ＹＥＳ）、ステップＳ９０で釣札取り忘れ防止ランプ８ｄ／釣銭取り忘れ防止ランプ８ｈをＯＦＦするとともに、釣銭等取り忘れ防止アラーム８ｅをＯＦＦし、警告灯８ｊの駆動を停止し、釣銭等取り忘れ防止大音量アラーム８ｉの駆動を停止して処理を終了する。一方、ステップＳ８７で時間ＴがＴ１となっていない（３０秒が経過していない）場合には（ステップＳ８７；ＮＯ）、ステップＳ８６に戻り、ステップＳ８９で釣札抜き取り検知センサー８ｃ／釣銭抜き取り検知センサー８ｇがＯＦＦしていない場合には、ＯＦＦするまで待つ。
【００３６】
以上のように、本実施の形態では、釣銭返却装置８ｙの釣銭返却部８ｒや、釣札返却装置８ｚの釣札返却部８ｑに釣銭等が返却された際に、顧客が釣札取り忘れ防止ランプ８ｄ／釣銭取り忘れ防止ランプ８ｈからの光を目視し易くなり、釣銭等の取り忘れを最小限に抑えることができる。
【００３７】
次に、精算装置８の釣銭返却装置８ｙ及び釣札返却装置８ｚの各々の前面の他の構成例について図８を参照しながら説明する。
【００３８】
釣銭返却装置８ｙ及び釣札返却装置８ｚの各々には、釣札取り忘れ防止ランプ８ｄ／釣銭取り忘れ防止ランプ８ｈとして機能するＬＥＤ８ｓが設置され、その前方には、導光板１１が設けられる。この導光板１１の一端部は、ＬＥＤ８ｓの前方（顧客側）に位置する。このように構成することで、ＬＥＤ８ｓから発せられた光が、導光板１１に導かれて斜め上方に向かい、顧客にとって目視し易くなり、釣銭等の取り忘れを最小限に抑えることができる。
【符号の説明】
【００３９】
１  給油所
２  ＰＯＳ
３  ＨＵＢ
４（４Ａ〜４Ｃ）  アイランド
５（５Ａ〜５Ｃ）  ＯＰＴ
６（６Ａ〜６Ｃ）  給油装置
８  精算装置
９  アクリル板
１０  光拡散部（拡散導光体）
１１  導光板
【図１】
2012113378.tif 000003
【図２】
2012113378.tif 000004
【図３】
2012113378.tif 000005
【図４】
2012113378.tif 000006
【図５】
2012113378.tif 000007
【図６】
2012113378.tif 000008
【図７】
2012113378.tif 000009
【図８】
2012113378.tif 000010